【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
音声符号器において入力音声信号を符号化する方法であって、
前記入力音声信号の１つまたは複数の部分を可逆的圧縮に指定する前記音声符号器のユーザによって入力された情報を受け取るステップと、
指定された前記部分以外の前記入力音声信号の一部分を不可逆的符号化を使用して符号化するステップと、
指定された前記部分を可逆的符号化を使用して符号化するステップと
を備えたことを特徴とする方法。
【請求項２】
前記不可逆的符号化を使用して符号化された前記部分と可逆的符号化を使用して符号化された前記部分の１つとの間における前記入力音声信号の遷移部分を該遷移部分の部分的に矩形で、部分的に矩形でないウインドウ化を伴う可逆的符号化を使用して符号化するステップ
を備えたことを特徴とする請求項１に記載の方法。
【請求項３】
前記不可逆的符号化は、重複変換に基づき、前記遷移部分を符号化するステップは、
前記不可逆的符号化で使用される前記重複変換を前記遷移部分に適用するステップと、
前記重複変換の逆を適用するステップと、
前記重複変換と前記逆重複変換との擬似時間領域結果を可逆的符号化を使用して符号化するステップと
を備えたことを特徴とする請求項２に記載の方法。
【請求項４】
前記遷移部分を符号化するステップは、
前記不可逆的符号化で使用される重複変換および逆重複変換と等価の処理を前記遷移部分に適用するステップと、
前記重複変換と前記逆重複変換の擬似時間領域結果を可逆的符号化を使用して符号化するステップと
を備えたことを特徴とする請求項２に記載の方法。
【請求項５】
前記不可逆的符号化は、重なり合う矩形でないウインドウ化を伴う重複変換に基づき、前記可逆的符号化は、矩形のウインドウ化を伴う適応フィルタを使用する線形予測符号化に基づく
ことを特徴とする請求項１に記載の方法。
【請求項６】
音声符号化プログラムに対するコンピュータ実行可能命令を有するコンピュータ読み取り可能な記録媒体であって、前記音声符号化プログラムは、入力音声信号を符号化する方法を行うようにコンピュータ上で実行可能であり、前記方法は、
入力音声信号の部分を可逆的圧縮に指定する音声符号器のユーザによって入力された情報を受け取るステップと、
指定された前記部分以外の前記入力音声信号の部分を不可逆的符号化を使用して符号化するステップと、
指定された前記部分を可逆的符号化を使用して符号化するステップと
を備えたことを特徴とするコンピュータ読み取り可能な記録媒体。
【請求項７】
不可逆的符号化を使用して符号化された前記部分と可逆的符号化を使用して符号化された前記部分との間における前記入力音声信号の遷移部分を、該遷移部分の矩形でないウインドウ化を伴う可逆的符号化を使用して符号化するステップ
を備えたことを特徴とする請求項６に記載のコンピュータ読み取り可能な記録媒体。
【請求項８】
前記不可逆的符号化は、重複変換に基づき、前記遷移部分を符号化するステップは、
前記不可逆的符号化で使用される前記重複変換を前記遷移部分に適用するステップと、
前記重複変換の逆を適用するステップと、
前記重複変換と逆重複変換の擬似時間領域結果を可逆的符号化を使用して符号化するステップと
を備えたことを特徴とする請求項７に記載のコンピュータ読み取り可能な記録媒体。
【請求項９】
前記遷移部分を符号化するステップは、
前記不可逆的符号化で使用される重複変換および逆重複変換と等価の処理を前記遷移部分に適用するステップと、
前記重複変換と前記逆重複変換の擬似時間領域結果を可逆的符号化を使用して符号化するステップと
を備えたことを特徴とする請求項７に記載のコンピュータ読み取り可能な記録媒体。
【請求項１０】
前記不可逆的符号化は、重なり合う矩形でないウインドウ化を伴う重複変換に基づき、前記可逆的符号化は、矩形のウインドウ化を伴う適応フィルタを使用する線形予測符号化に基づく
ことを特徴とする請求項６に記載のコンピュータ読み取り可能な記録媒体。
【請求項１１】
不可逆的圧縮モードまたは可逆的圧縮モードのどちらかで符号化されるべき音声信号の少なくとも一部分のユーザ指定に従って、統合された不可逆的可逆的圧縮を使用して入力音声信号を符号化するための方法であって、
前記入力音声信号のフレームに関して、該フレームを前記不可逆的圧縮モードで符号化するか、または前記可逆的圧縮モードで符号化するかをユーザ指定に応答して判定するステップと、
前記不可逆的圧縮モードの場合、矩形でないウインドウ化を伴う不可逆的符号化を使用して前記フレームを符号化するステップと、
前記可逆的圧縮モードの場合、矩形のウインドウ化を伴う可逆的符号化を使用して前記フレームを符号化するステップとを備え、
例外として、前記不可逆的符号化を使用して符号化されるフレームと前記可逆的符号化を使用して符号化されるフレームとの間のフレームを、遷移ウインドウ化を伴う可逆的符号化を使用して符号化するステップを備えた
ことを特徴とする方法。
【請求項１２】
前記不可逆的圧縮モードの場合、前記矩形でないウインドウ化を伴う前記不可逆的符号化または同一のウインドウ化を伴う混合の可逆的符号化のパフォーマンスがより良好な方を使用して前記フレームを符号化するステップ
をさらに備えたことを特徴とする請求項１１に記載の方法。
【請求項１３】
前記不可逆的圧縮モードの場合、
前記フレームの前記矩形でないウインドウ化を伴う前記不可逆的符号化が、圧縮パフォーマンス基準を満たすかどうかを判定するステップと、
前記基準を満たす場合、前記矩形でないウインドウ化を伴う前記不可逆的符号化を使用して前記フレームを符号化するステップと、
前記基準を満たさない場合、前記矩形でないウインドウ化を伴う前記不可逆的符号化、または同一のウインドウ化を伴う混合の可逆的符号化のどちらが、前記フレームに関してより良好な圧縮パフォーマンスを実現するかを判定し、前記フレームに関してより良好なパフォーマンスを示す符号化を使用して前記フレームを符号化するステップと
をさらに備えたことを特徴とする請求項１１に記載の方法。
【請求項１４】
前記可逆的圧縮モードの場合、
前記フレームが、矩形のウインドウ化を伴う前記可逆的符号化を使用して符号化される１組の連続するフレームを開始するかどうか、または終了するかどうかを判定するステップと、
開始する、または終了する場合、前記フレームを遷移ウインドウ化を伴う前記可逆的符号化を使用して符号化するステップと、
開始も終了もしない場合、前記フレームを矩形のウインドウ化を伴う前記可逆的符号化を使用して符号化するステップと
をさらに備えたことを特徴とする請求項１１に記載の方法。
【請求項１５】
不可逆的圧縮モードまたは可逆的圧縮モードのどちらかで符号化されるべき音声信号の部分のユーザ指定に従って、統合された不可逆的可逆的圧縮を使用して入力音声信号を符号化するための方法を、コンピュータに実行させるためのプログラムを有するコンピュータ読み取り可能な記録媒体であって、前記方法は、
前記入力音声信号のフレームに関して、前記フレームを不可逆的圧縮モードで符号化するか、または可逆的圧縮モードで符号化するかをユーザ指定に応答して判定するステップと、
前記不可逆的圧縮モードの場合、前記フレームを矩形でないウインドウ化を伴う不可逆的符号化を使用して符号化するステップと、
前記可逆的圧縮モードの場合、前記フレームを矩形のウインドウ化を伴う可逆的符号化を使用して符号化するステップとを備え、
例外として、前記不可逆的符号化を使用して符号化されるフレームと前記可逆的符号化を使用して符号化されるフレームとの間のフレームを、遷移ウインドウ化を伴う混合の可逆的符号化を使用して符号化するステップを備えた
ことを特徴とするコンピュータ読み取り可能な記録媒体。
【請求項１６】
前記不可逆的圧縮モードの場合、前記矩形でないウインドウ化を伴う前記不可逆的符号化、または同一のウインドウ化を伴う混合の可逆的符号化のよりパフォーマンスが良好な方を使用して前記フレームを符号化するステップ
をさらに備えたことを特徴とする請求項１５に記載のコンピュータ読み取り可能な記録媒体。
【請求項１７】
前記不可逆的圧縮モードの場合、
前記フレームの前記矩形でないウインドウ化を伴う前記不可逆的符号化が、圧縮パフォーマンス基準を満たすかどうかを判定するステップと、
前記基準を満たす場合、前記矩形でないウインドウ化を伴う前記不可逆的符号化を使用して前記フレームを符号化するステップと、
前記基準を満たさない場合、前記矩形でないウインドウ化を伴う前記不可逆的符号化、または同一のウインドウ化を伴う混合の可逆的符号化のどちらが、前記フレームに関してより良好な圧縮パフォーマンスを実現するかを判定し、前記フレームに関してより良好なパフォーマンスを示す符号化を使用して前記フレームを符号化するステップと
をさらに備えたことを特徴とする請求項１５に記載のコンピュータ読み取り可能な記録媒体。
【請求項１８】
前記可逆的圧縮モードの場合、
前記フレームが、矩形のウインドウ化を伴う前記可逆的符号化を使用して符号化される１組の連続するフレームを開始するかどうか、または終了するかどうかを判定するステップと、
開始する、または終了する場合、前記フレームを遷移ウインドウ化を伴う前記混合の可逆的符号化を使用して符号化するステップと、
開始も終了もしない場合、前記フレームを矩形のウインドウ化を伴う前記可逆的符号化を使用して符号化するステップと
をさらに備えたことを特徴とする請求項１５に記載のコンピュータ読み取り可能な記録媒体。
【請求項１９】
音声信号の別々の部分の不可逆的圧縮と可逆的圧縮とを統合する音声信号符号化の方法であって、
前記音声信号の少なくとも指定された部分を当該指定された部分内の符号化フレームの矩形の形状のウインドウ化を伴う可逆的圧縮を使用して符号化するステップと、
指定された前記部分のまわりの前記音声信号の他の部分を前記部分内の符号化フレームの矩形でない形状のウインドウ化を伴う不可逆的圧縮を使用して符号化するステップと、
前記音声信号の指定された前記部分と前記他の部分との間の遷移フレームを符号化するステップであって、
それぞれの遷移フレームに関して符号化フレームの部分的に矩形の形状で、部分的に矩形でない形状のウインドウ化を行うステップと、
前記それぞれの遷移フレームに関する前記ウインドウ化された符号化フレームを可逆的に圧縮するステップと
を含むステップと
を備えたことを特徴とする方法。
【請求項２０】
前記矩形でない形状のウインドウ化は、サイン（ｓｉｎｅ）形状のウインドウ化であり、前記部分的に矩形の形状で、部分的に矩形でない形状のウインドウ化は、部分的にサイン形状で、部分的に矩形のウインドウ化である
ことを特徴とする請求項１９に記載の方法。
【請求項２１】
前記不可逆的圧縮は、変換ベースの不可逆的符号化であり、前記遷移フレームを前記符号化するステップは、前記ウインドウ化された符号化フレームを処理して、前記ウインドウ化された符号化フレームに対して前記変換、および前記変換の逆を行うステップ
をさらに備えたことを特徴とする請求項１９に記載の方法。
【請求項２２】
前記変換は、重複変換である
ことを特徴とする請求項２１に記載の方法。
【請求項２３】
前記重複変換は、変調離散コサイン変換である
ことを特徴とする請求項２２に記載の方法。
【請求項２４】
重複変換ベースのコーデックから非重複変換ベースのコーデックへの平滑な符号化遷移、またはその逆の遷移のために擬似時間領域信号を使用する方法であって、
重なり合う矩形でないウインドウ化ファンクションを伴う前記重複変換ベースのコーデックを信号の第１の部分に適用するステップと、
遷移ウインドウ化ファンクションを前記第１の部分と第２の部分との間における前記信号の遷移部分に対して適用するステップと、
重複変換、および前記重複変換の逆変換を前記信号の前記遷移部分に適用して前記擬似時間領域信号を生成するステップと、
時間領域コーデックを使用して前記擬似時間領域信号を圧縮するステップと、
重複しない矩形のウインドウ化ファンクションを伴う非重複変換ベースのコーデックを前記信号の前記第２の部分に適用するステップと
を備えたことを特徴とする方法。
【請求項２５】
前記重複変換ベースのコーデックに戻るように遷移するために、前記重複変換ベースのコーデックを適用することと、前記非重複変換ベースのコーデックを適用することの順序を逆にするステップ
をさらに備えたことを特徴とする請求項２４に記載の方法。
【請求項２６】
前記時間領域ベースのコーデックは、前記信号を時間領域から周波数領域に変換する変換に基づかないコーデックである
ことを特徴とする請求項２５に記載の方法。
【請求項２７】
前記非重複変換ベースのコーデックは、前記信号を時間領域から周波数領域に変換する重複しない変換に基づく
ことを特徴とする請求項２５に記載の方法。
【請求項２８】
前記非重複変換ベースのコーデックは、時間領域コーデックである
ことを特徴とする請求項２５に記載の方法。
【請求項２９】
前記遷移ウインドウ化ファンクションは、半分が矩形で、半分が矩形ではなく、前記矩形の半分は、前記非重複変換ベースのコーデックによって圧縮された前記信号の前記第１の部分に結合し、前記矩形でない半分は、前記重複変換ベースのコーデックによって圧縮された前記信号の前記第２の部分に結合する
ことを特徴とする請求項２５に記載の方法。
【請求項３０】
２つの異なる重複する変換ベースのコーデックを単一のビットストリームの中でシームレスに、平滑にさらに結合するための方法であって、
請求項２４に記載のステップを介して前記符号化を前記第１の重複変換ベースのコーデックから非重複ベースのコーデックに遷移させるステップと、
非重複変換ベースのコーデックを短い時間にわたって適用するステップと、
請求項２５に記載のステップを介して前記符号化を前記非重複変換ベースのコーデックから前記第２の重複変換ベースのコーデックに遷移させるステップと
をさらに備えたことを特徴とする請求項２５に記載の方法。
【請求項３１】
前記信号の異なる部分に複数の異なる重複変換ベースのコーデックと非重複変換ベースのコーデックをさらに適用して、単一の統合されたビットストリームをシームレスに、効率的に生成するための方法であって、
請求項２４に記載のステップを介して前記重複変換ベースのコーデックから前記非重複変換ベースのコーデックに遷移するステップと、
請求項２５に記載のステップを介して前記非重複変換ベースのコーデックから前記重複変換ベースのコーデックに再び遷移するステップと、
前記非重複変換ベースのコーデックから別の非重複変換ベースのコーデックに直接に遷移するステップと、
請求項３０に記載のステップを介して、前記重複変換ベースのコーデックから前記非重複変換ベースのコーデックを介して別の重複変換ベースのコーデックに遷移するステップと
を備えたことを特徴とする請求項３０に記載の方法。
【請求項３２】
不可逆的圧縮モードまたは可逆的圧縮モードのどちらかで符号化されるべき音声信号の部分のユーザ指定に従って、統合された不可逆的可逆的圧縮を使用して入力音声信号を符号化するための音声符号器であって、
前記入力音声信号のフレームに関して、前記ユーザ指定に応答して前記フレームを前記不可逆的圧縮モードで符号化するか、または前記可逆的圧縮モードで符号化するかを判定するための手段と、
前記不可逆的圧縮モードの場合、矩形でないウインドウ化を伴う不可逆的符号化を使用して前記フレームを符号化するための不可逆的圧縮器と、
前記可逆的圧縮モードの場合、矩形のウインドウ化を伴う可逆的符号化を使用して前記フレームを符号化するための可逆的圧縮器と、
前記不可逆的符号化を使用して符号化されたフレームと可逆的符号化を使用して符号化されたフレームとの間のフレームを、遷移ウインドウ化を伴う可逆的符号化を使用して符号化するための遷移フレーム符号器と
を備えたことを特徴とする音声符号器。
【請求項３３】
前記不可逆的圧縮モードの場合、前記不可逆的圧縮器は、前記矩形でないウインドウ化を伴う前記不可逆的符号化、または同一のウインドウ化を伴う混合の可逆的符号化のより良好なパフォーマンスを示す方を使用して、前記フレームを符号化する
ことを特徴とする請求項３２に記載の音声符号器。
【請求項３４】
前記不可逆的圧縮モードの場合、前記フレームの前記矩形でないウインドウ化を伴う前記不可逆的符号化が、圧縮パフォーマンス基準を満たすかどうかを判定するための手段と、
前記基準が満たされない場合、前記矩形でないウインドウ化を伴う前記不可逆的符号化、または同一のウインドウ化を伴う混合の可逆的符号化のどちらが、前記フレームに関してより良好な圧縮パフォーマンスを実現するかを判定するための手段とをさらに備え、
前記不可逆的圧縮器は、前記基準が満たされた場合、または前記不可逆的符号化が、前記フレームに関してより良好な圧縮パフォーマンスを実現する場合、前記矩形でないウインドウ化を伴う前記不可逆的符号化を使用して前記フレームを符号化するように動作し、
前記遷移フレーム符号器は、前記基準が満たされなかった場合、および前記混合の可逆的符号化が、前記フレームに関してより良好な圧縮パフォーマンスを実現する場合、前記フレームに関してより良好なパフォーマンスを示す符号化を使用して前記フレームを符号化するように動作する
ことを特徴とする請求項３２に記載の音声符号器。
【請求項３５】
前記可逆的圧縮モードの場合、
前記フレームが、矩形のウインドウ化を伴う前記可逆的符号化を使用して符号化されるべき１組の連続するフレームを開始するか、または終了するかどうかを判定するための手段をさらに備え、
前記フレームが前記１組を開始するか、または終了する場合、前記遷移フレーム符号器は、遷移ウインドウ化を伴う前記混合の可逆的符号化を使用して前記フレームを符号化するように動作し、
それ以外の場合、前記可逆的圧縮器は、前記フレームを符号化するように動作する
ことを特徴とする請求項３２に記載の音声符号器。
【請求項３６】
前記音声信号の少なくとも指定された部分を当該指定された部分内のフレームを符号化する矩形の形状のウインドウ化を伴う可逆的圧縮を使用して符号化するための可逆的信号符号器と、
指定された前記部分のまわりの前記音声信号の２つの他の部分を、前記部分内のフレームを符号化する矩形でない形状のウインドウ化を使用して不可逆的圧縮を使用して符号化するための不可逆的信号符号器と、
前記音声信号の指定された前記部分と前記２つの他の部分との間の遷移フレームを符号化するための遷移符号器であって、前記遷移フレームを符号化することは、それぞれの遷移フレームに関して符号化フレームの部分的に矩形の形状で、部分的に矩形でない形状のウインドウ化を行い、前記それぞれ遷移フレームに関して前記ウインドウ化された符号化フレームを可逆的に圧縮することを含む遷移符号器と
を備えたことを特徴とする統合された不可逆的可逆的圧縮器。
【請求項３７】
前記矩形でない形状のウインドウ化は、サイン形状のウインドウ化であり、前記部分的に矩形の形状で、部分的に矩形でない形状のウインドウ化は、部分的にサイン形状で、部分的に矩形のウインドウ化である
ことを特徴とする請求項３６に記載の統合された不可逆的可逆的圧縮器。
【請求項３８】
前記不可逆的圧縮は、変換ベースの不可逆的符号化であり、前記遷移符号器において前記遷移フレームを符号化することは、前記ウインドウ化された符号化フレームを処理して、前記ウインドウ化された符号化フレームに対して前記変換および前記変換の逆を行うことをさらに含む
ことを特徴とする請求項３６に記載の統合された不可逆的可逆的圧縮器。
【請求項３９】
前記変換は、重複変換である
ことを特徴とする請求項３８に記載の統合された不可逆的可逆的圧縮器。
【請求項４０】
前記重複変換は、前記変調離散コサイン変換である
ことを特徴とする請求項３９に記載の統合された不可逆的可逆的圧縮器。
【請求項４１】
音声信号の別々の部分の不可逆的圧縮と可逆的圧縮を統合する音声信号符号化の方法を行うようにコンピュータ上で実行可能なプログラムを有するコンピュータ読み取り可能な記録媒体であって、前記方法は、
前記音声信号の少なくとも指定された部分を当該指定された部分内の符号化フレームの矩形の形状のウインドウ化を伴う可逆的圧縮を使用して符号化するステップと、
指定された前記部分のまわりの前記音声信号の２つの他の部分を、前記部分内の符号化フレームの矩形でない形状のウインドウ化を伴う不可逆的圧縮を使用して符号化するステップと、
前記音声信号の指定された前記部分と前記２つの他の部分との間の遷移フレームを符号化するステップであって、
それぞれの遷移フレームに関して符号化フレームの部分的に矩形の形状で、部分的に矩形でない形状のウインドウ化を行うステップと、
前記それぞれの遷移フレームに関してウインドウ化された前記符号化フレームを可逆的に圧縮するステップと
を含む符号化するステップと
を備えたことを特徴とするコンピュータ読み取り可能な記録媒体。
【請求項４２】
前記矩形でない形状のウインドウ化は、サイン形状のウインドウ化であり、前記部分的に矩形の形状で、部分的に矩形でない形状のウインドウ化は、部分的にサイン形状で、部分的に矩形のウインドウ化である
ことを特徴とする請求項４１に記載のコンピュータ読み取り可能な記録媒体。
【請求項４３】
前記不可逆的圧縮は、変換ベースの不可逆的符号化であり、前記遷移フレームを符号化するステップは、前記ウインドウ化された符号化フレームを処理して、前記ウインドウ化された符号化フレームに対して前記変換、および前記変換の逆を行うステップ
をさらに備えたことを特徴とする請求項４１に記載のコンピュータ読み取り可能な記録媒体。
【請求項４４】
前記変換は、重複変換である
ことを特徴とする請求項４３に記載のコンピュータ読み取り可能な記録媒体。
【請求項４５】
前記重複変換は、前記変調離散コサイン変換である
ことを特徴とする請求項４４に記載のコンピュータ読み取り可能な記録媒体。
【請求項４６】
可逆的圧縮に対する前記入力信号の部分のユーザ指定を受け取るための入力部と、
指定された前記部分以外の前記入力信号の部分を不可逆的符号化を使用して符号化するための可逆的符号器と、
指定された前記部分を可逆的符号化を使用して符号化するための可逆的符号器と
を備えたことを特徴とするデジタル信号プロセッサ。
【請求項４７】
不可逆的符号化を使用して符号化された前記部分と可逆的符号化を使用して符号化された前記部分との間における前記入力信号の遷移部分を、前記遷移部分の部分的に矩形で、部分的に矩形でないウインドウ化を伴う可逆的符号化を使用して符号化するための混合の可逆的符号器を備えた
ことを特徴とする請求項４６に記載のデジタル信号プロセッサ。
【請求項４８】
前記可逆的符号化は、重複変換に基づき、前記混合の可逆的符号器は、
前記不可逆的符号化で使用される前記重複変換を前記遷移部分に適用し、前記重複変換の逆を適用するための信号変換ユニットと、
前記重複変換と前記逆重複変換の擬似時間領域結果を可逆的符号化を使用して符号化するための可逆的符号器ユニットとを備えた
ことを特徴とする請求項４７に記載のデジタル信号プロセッサ。
【請求項４９】
前記混合の可逆的符号器は、
前記不可逆的符号化で使用される重複変換および逆重複変換と等価の処理を、前記遷移部分に適用するための信号変換ユニットと、
前記重複変換および前記逆重複変換の擬似時間領域結果を可逆的符号化を使用して符号化するための可逆的符号化ユニットとを備えた
ことを特徴とする請求項４７に記載のデジタル信号プロセッサ。
【請求項５０】
前記不可逆的符号化は、重複する矩形でないウインドウ化を伴う重複変換に基づき、前記可逆的符号化は、矩形のウインドウ化を伴う適応フィルタを使用する線形予測符号化に基づく
ことを特徴とする請求項４６に記載のデジタル信号プロセッサ。